(57)【要約】  【課題】肩こり、腰痛、筋肉痛等の治療効果が高く、安全に使用することができ、容易且つ安価に製造することができる治療用品を得る。  【解決手段】本発明は、少なくとも1つの金色に加工された金色体２と、銀色に加工された銀色体３とを備えた治療用品１であって、該金色体２と、該銀色体３とを人体４に所定の配列で配置することにより、人体４の治療を行うように構成した治療用品を提供する。【選択図】図１
2005087496.tif 000002
【特許請求の範囲】
【請求項１】
少なくとも1つの金色に加工された金色体を人体の経絡上に配置することにより、人体の治療を行うように構成したことを特徴とする治療用品。
【請求項２】
少なくとも１つの銀色に加工された銀色体を人体の経絡上に配置することにより、人体の治療を行うように構成したことを特徴とする治療用品。
【請求項３】
少なくとも1つの金色に加工された金色体と、銀色に加工された銀色体とを備えた治療用品であって、該金色体と、該銀色体とを人体に所定の配列で配置することにより、人体の治療を行うように構成したことを特徴とする治療用品。
【請求項４】
上記金色体及び／又は上記銀色体は夫々粘着シートに貼着され、該粘着シートを人体に貼着することにより、該金色体と銀色体とが夫々人体に接触して保持されるように構成されていることを特徴とする請求項１，２又は３記載の治療用品。
【請求項５】
上記金色体及び／又は銀色体は夫々球状体であることを特徴とする請求項１，２，３又は４記載の治療用品。
【請求項６】
上記金色体及び／又は上記銀色体は夫々所定の大きさに形成された板状体であることを特徴とする請求項１，２，３又は４記載の治療用品。
【請求項７】
上記金色体及び上記銀色体は夫々所定の大きさに形成されたシート状体であることを特徴とする請求項１，２，３又は４記載の治療用品。
【請求項８】
上記金色体及び／又は上記銀色体は夫々所定量の粉状体であることを特徴とする請求項１，２，３又は４記載の治療用品。
【請求項９】
上記金色体及び／又は上記銀色体は所定の物品に塗布された塗膜であることを特徴とする請求項１，２，３又は４記載の治療用品。
【請求項１０】
少なくとも1つの金色に加工された金色体と、銀色に加工された銀色体とを備え、該金色体と、該銀色体とを人体の経絡に沿って所定の配列で配置することにより、人体の治療を行うように構成した治療用品であって、該治療用品の前記金色体は経絡の上流側に配置され、前記銀色体は前記経絡の下流側に配置されることを特徴とする治療用品を用いた治療方法。
【請求項１１】
金色に加工された金色体と、銀色に加工された銀色体とを備え、該金色体と、該銀色体とを人体の経絡に沿って所定の配列で配置することにより、人体の治療を行うように構成した治療用品であって、該治療用品の前記金色体の少なくとも１つは人体の痛みを感ずる部位を通る経絡の上流側に配置され、さらに前記金色体の少なくとも1つは痛みを感ずる部位に配置され、前記銀色体は前記痛みを感ずる部位よりも前記経絡の下流側に配置されることを特徴とする治療用品を用いた治療方法。
【発明の詳細な説明】
【技術分野】
【０００１】
本発明は、治療用品及び該治療用品を用いた治療方法に関するものであり、特に、金色に着色された金色体と、銀色に着色された銀色体とを備えた治療用品であって、該金色体と、該銀色体とを人体の経絡に沿って所定の配列で配置することにより、人体の治療を行うように構成した治療用品及び該治療用品を用いた治療方法に関するものである。
【背景技術】
【０００２】
従来、此種治療用品として、例えば、特許文献１に記載の救急絆創膏型磁気治療器が知られており、該救急絆創膏型磁気治療器は、救急絆創膏型の粘着性シート基材の接着面にＳ極とＮ極とを交互に着磁した複数の磁性体シートを接着し、該接着面に該磁性体シートを覆うように剥離紙を取り外し自在に貼着してなるものである。
【０００３】
そして、該剥離紙を取り外した後、人体の皮膚表面のツボ又は痛みを有する部位に前記磁性体シートを接触させて、主として肩こり、腰痛、筋肉痛等の治療を行うものである。
【特許文献１】特開平１１−２９０４６５号公報
【発明の開示】
【発明が解決しようとする課題】
【０００４】
上記特許文献１に記載の磁気治療器は、磁気を用いて血行等を良好にし、主として肩こり、腰痛、筋肉痛等の治療を行うが、該磁気治療器は磁石を用いるため、材料費、製造費が高価になると共に、磁石によって電子機器等に悪影響を及ぼす虞があった。
【０００５】
そこで、肩こり、腰痛、筋肉痛等の治療効果が高く、安全に使用することができ、容易且つ安価に製造することができる治療用品を得るために解決すべき技術的課題が生じてくるのであり、本発明はこの課題を解決することを目的とする。
【課題を解決するための手段】
【０００６】
本発明は上記目的を達成するために提案されたものであり、少なくとも1つの金色に加工された金色体を人体の経絡上に配置することにより、人体の治療を行うように構成した治療用品,
及び、少なくとも１つの銀色に加工された銀色体を人体の経絡上に配置することにより、人体の治療を行うように構成した治療用品、
及び、少なくとも1つの金色に加工された金色体と、銀色に加工された銀色体とを備えた治療用品であって、該金色体と、該銀色体とを人体に所定の配列で配置することにより、人体の治療を行うように構成した治療用品、
及び、上記金色体及び／又は上記銀色体は夫々粘着シートに貼着され、該粘着シートを人体に貼着することにより、該金色体と銀色体とが夫々人体に接触して保持されるように構成されている治療用品、
及び、上記金色体及び／又は銀色体は夫々球状体である治療用品、
及び、上記金色体及び／又は上記銀色体は夫々所定の大きさに形成された板状体である治療用品、
及び、上記金色体及び／又は上記銀色体は夫々所定の大きさに形成されたシート状体である治療用品、
及び、上記金色体及び／又は上記銀色体は夫々所定量の粉状体である治療用品、
及び、上記金色体及び／又は上記銀色体は所定の物品に塗布された塗膜である治療用品、
及び、少なくとも1つの金色に加工された金色体と、銀色に加工された銀色体とを備え、該金色体と、該銀色体とを人体の経絡に沿って所定の配列で配置することにより、人体の治療を行うように構成した治療用品であって、該治療用品の前記金色体は経絡の上流側に配置され、前記銀色体は前記経絡の下流側に配置される治療用品を用いた治療方法、
並びに、金色に加工された金色体と、銀色に加工された銀色体とを備え、該金色体と、該銀色体とを人体の経絡に沿って所定の配列で配置することにより、人体の治療を行うように構成した治療用品であって、該治療用品の前記金色体の少なくとも１つは人体の痛みを感ずる部位を通る経絡の上流側に配置され、さらに前記金色体の少なくとも1つは痛みを感ずる部位に配置され、前記銀色体は前記痛みを感ずる部位よりも前記経絡の下流側に配置される治療用品を用いた治療方法を提供する。
【発明の効果】
【０００７】
本発明の請求項１記載の発明は、少なくとも1つの金色に加工された金色体を人体の経絡上に配置することにより、人体の治療を行うように構成した治療用品であるので、該金色体によって人体の経絡近傍の治療を行うことができる。
【０００８】
又、請求項２記載の発明は、少なくとも１つの銀色に加工された銀色体を人体の経絡上に配置することにより、人体の治療を行うように構成した治療用品であるので、該銀色体によって人体の経絡近傍の治療を行うことができる。
【０００９】
更に、請求項３記載の発明は、少なくとも1つの金色に加工された金色体と、銀色に加工された銀色体とを備えた治療用品であって、該金色体と、該銀色体とを人体に所定の配列で配置することにより、人体の治療を行うように構成した治療用品であるので、該金色体と、該銀色体とを人体に所定の配列で配置することにより、人体の治療を行うことができる。特に、該治療用品は肩こり、腰痛、筋肉痛等の治療効果が高く、安全に使用することができる。
【００１０】
更に又、請求項４記載の発明は、上記金色体及び／又は上記銀色体は夫々粘着シートに貼着され、該粘着シートを人体に貼着することにより、該金色体と銀色体とが夫々人体に接触して保持されるように構成されているので、請求項１，２又は３記載の発明の効果に加え、該粘着シートによって該金色体及び銀色体を容易に人体に貼着することができる。
【００１１】
そして、請求項５記載の発明は、上記金色体及び／又は銀色体は夫々球状体であるので、請求項１，２，３又は４記載の発明の効果に加え、該金色体及び銀色体は安価且つ容易に製造できると共に、球状体によって圧接治療効果を得ることができる。
【００１２】
又、請求項６記載の発明は、上記金色体及び／又は上記銀色体は夫々所定の大きさに形成された板状体であるので、請求項１，２，３又は４記載の発明の効果と略同様の効果を得ることができる。
【００１３】
更に、請求項７記載の発明は、上記金色体及び／又は上記銀色体は夫々所定の大きさに形成されたシート状体であるので、請求項１，２，３又は４記載の発明の効果と略同様な効果を得ることができる。
【００１４】
更に又、請求項８記載の発明は、上記金色体及び／又は上記銀色体は夫々所定量の粉状体であるので、請求項１，２，３又は４記載の発明の効果と略同様な効果を得ることができる。
【００１５】
そして、請求項９記載の発明は、上記金色体及び／又は上記銀色体は所定の物品に塗布された塗膜であるので、請求項１，２，３又は４記載の発明の効果に加え、人体に圧接刺激を与えることがなく、又、該金色体及び銀色体が粘着パッチから剥離する虞もなく、更に、該金色体及び銀色体の形成も容易である等の利点がある。
【００１６】
又、請求項１０記載の発明は、少なくとも1つの金色に加工された金色体と、銀色に加工された銀色体とを備え、該金色体と、該銀色体とを人体の経絡に沿って所定の配列で配置することにより、人体の治療を行うように構成した治療用品であって、該治療用品の前記金色体は経絡の上流側に配置され、前記銀色体は前記経絡の下流側に配置される治療用品を用いた治療方法であるので、該配置により、経絡近傍の筋肉等を含む人体組織が弛緩され、該筋肉を含む人体の疲れや、痛みを緩和又は解消することができる。
【００１７】
更に、請求項１１記載の発明は、金色に加工された金色体と、銀色に加工された銀色体とを備え、該金色体と、該銀色体とを人体の経絡に沿って所定の配列で配置することにより、人体の治療を行うように構成した治療用品であって、該治療用品の前記金色体の少なくとも１つは人体の痛みを感ずる部位を通る経絡の上流側に配置され、さらに前記金色体の少なくとも1つは痛みを感ずる部位に配置され、前記銀色体は前記痛みを感ずる部位よりも前記経絡の下流側に配置される治療用品を用いた治療方法であるので、該配置により、痛みを感じる経絡近傍の筋肉等を含む人体組織が弛緩され、該筋肉を含む人体の疲れや、痛みを緩和又は解消することができる等、正に著大なる効果を奏する発明である
【発明を実施するための最良の形態】
【００１８】
以下、本発明の一実施の形態を図１乃至図１４に従って詳述する。図１に於て、１は治療用品であり、該治療用品１は外周面が金色に加工された球状の金色体２と、外周面が銀色に加工された球状の銀色体３とを備え、該金色体２と、該銀色体３とを人体４の例えば、左肩近傍、右肩近傍、左肩甲骨近傍、右肩甲骨近傍、背骨近傍等に存在する経絡５，５…に沿って後述する所定の配列で、且つ、所定の止着方法を用いて配置するものである。
【００１９】
金色に加工する方法は、特に制限はなく、芯物質に金メッキや金色塗料により着色する方法や金属の金そのものであっても良い。同様に銀色に加工する方法は、特に制限はなく銀メッキのほかロジウム、白金などによりメッキや塗料により着色してもよく、金属そのものであってもよい。
【００２０】
そして、前記経絡５には流れ方向があり、例えば、前記治療用品１の前記配列として、１個又は複数の金色体２，２…を該経絡５に沿って上流側に配置し、該経絡５の最下流側に１個の該銀色体３を配置すると、該経絡５近傍の筋肉等を含む人体組織を弛緩させ、筋肉等を含む人体組織のこり、疲れ、痛み等を、解消、又は、緩和することができる。尚、これらの効果は、実験的（後述の試験結果参照）に確認されたものである。
【００２１】
更に、前記経絡５の流れ方向は、左肩近傍、右肩近傍、左肩甲骨近傍、右肩甲骨近傍に於て、上から下に流れ、背骨近傍に於ては、下から上に流れるので、この流れに沿って、前記配列により前記金色体２及び銀色体３を配置する。
【００２２】
前記金色体２及び銀色体３は人体４に配置する前に於ては、図２（ａ）、（ｂ）に示す如く、所定の面積を有する透明粘着シート６の粘着面６ａの略中央部に接着されており、図３及び図４に示す如く、該金色体２及び銀色体３が貼着された複数枚の該粘着シート６，６…が夫々孔７ａあき大判シート７に貼着されている。尚、該粘着シート６は透明でなくても良く、然る時も略同様な効果が期待できる。
【００２３】
そして、治療時に於て、前記金色体２及び前記銀色体３は夫々粘着シート６，６と共に前記大判シート７から剥離されて、人体４に該粘着シート６，６と共に貼着される。
【００２４】
図５は前記治療用品１によって人体４の腰近傍を治療する場合を示し、左腰及び左腰上部と、右腰及び右腰上部とは経絡５が下方に流れているので、上流側である上部に複数の金色体２，２…を配置し、最下流側に銀色体３を配置する。そして、腰中央上部の背骨部は経絡５が上方に流れているので、上流側である下部に複数の金色体２，２…を配置し、最下流側に銀色体３を配置する。
【００２５】
図６は前記治療用品１によって膝を治療する場合を示し、同図（ａ）に示す如く、膝の前部内側は、経絡５が下方に流れているので、上流側である上部に複数の金色体２，２…を配置し、最下流側に銀色体３を配置する。そして、膝の前部外側は、経絡５が上方に流れているので、上流側である下部に複数の金色体２，２…を配置し、最下流側に銀色体３を配置する。又、同図（ｂ）に示す如く、膝の後部中心は経絡５が下方に流れているので、上流側である上部に複数の金色体２，２…を配置し、最下流側に銀色体３を配置する。
【００２６】
このようにして、人体４の各部位に経絡５の方向に沿って前記治療用品１を配置することにより、各部位の治療を行うことができる。
【００２７】
又、前記金色体２、及び、前記銀色体３は球状体に形成されるので、製作も比較的容易且つ安価であると共に、人体に圧接刺激を与えて圧接治療を併せて行うこともできる。又、従来例の如く磁石等を用いないので、電子機器等に悪影響を与えることもなく安全に使用できる。
【００２８】
又、図示は省略するが、前記治療用品１の前記配列に代えて、１個又は複数の金色体２，２…を該経絡５に沿って下流側に配置し、該経絡５の最上流側に１個の該銀色体３を配置すると、該経絡５近傍の筋肉等を含む人体組織を適度に緊張させ、該筋肉を含む人体の弛みや緩みを解消して、美容、健康等に効果がある。該配列は顔、腕部、腹部、大腿部等に適用すると効果的である。尚、これらの効果は、実験的に確認されたものである。
【００２９】
更に又、図示は省略するが、前記治療用品１の前記配列に代えて、１個又は複数の金色体２，２…を経絡５に沿って配置し、或いは、１個又は複数の銀色体３，３…を経絡５に沿って配置することも可能であり、然る時も、該経絡５近傍の筋肉等を含む人体組織の治療効果がある。
【００３０】
図７に於て、８は他の治療用品であり、該治療用品８は前記治療用品（図１に於て１）の粘着シート６に貼着される金色体（図１に於て２）に代えて比較的小さな球状体の２個の小粒金色体９ａ，９ａから成る金色体９が互いに接触或いは接近して貼着され、更に、前記銀色体（図１に於て３）に代えて比較的小さな球状体の２個の小粒銀色体１０ａ，１０ａから成る銀色体１０が互いに接触或いは接近して貼着されたものである。
【００３１】
そして、同図は、粘着シート６に貼着された前記小粒金色体９ａ，９ａと、前記粘着シート６に貼着された前記小粒銀色体１０ａ，１０ａとから成る治療用品８を前図１と同様に肩近傍の数本の経絡５，５…に沿って配置し貼着したものであり、図１の治療用品（同図に於て１）と略同様に該治療用品８は経絡５近傍の筋肉等を含む人体組織を弛緩させ、筋肉等を含む人体組織のこり、疲れ、痛み等を、解消、又は、緩和することができる。
【００３２】
そして、前記小粒金色体９ａ，９ａから成る金色体９は前記金色体（図２に於て２）と同様に、図８（ａ）に示す如く、所定の面積を有する透明粘着シート６の粘着面６ａの略中央部に互いに接触して、又は接近して接着されており、同様に、前記小粒銀色体１０ａ，１０ａから成る銀色体１０は前記の銀色体（図２に於て３）と同様に、図２（ｂ）に示す如く、所定の面積を有する透明粘着シート６の粘着面６ａの略中央部に接着されており、該金色体９及び該銀色体１０が貼着された粘着シート６は、図９及び図１０に示す如
く、大判シート７に複数枚貼着されて取扱い及び搬送等が容易しなるように構成されている。
【００３３】
該粘着シート６に貼着された前記小粒金色体９ａ，９ａから成る金色体９と、該粘着シート６に貼着された前記小粒銀色体１０ａ，１０ａとから成る銀色体１０とで構成される治療用品８を前図５と同様に腰近傍の経絡５，５…、及び、前図６と同様に膝近傍の経絡５，５…に貼着配置することも可能であり、然る時も、前記治療用品１と同様の効果を得ることが可能である。
【００３４】
更に、前記治療用品８は前記粘着シート６に２個の小粒金色体９ａ，９ａ、又は、小粒銀色体１０ａ，１０ａを貼着したが、該２個の金色体９ａ，９ａ、又は、２個の銀色体１０ａ，１０ａに代えて、更に小粒にした３個以上の複数の小粒金色体又は小粒銀色体を貼着しても良い。そして、前記２個の小粒金色体９ａ，９ａ、又は、小粒銀色体１０ａ，１０ａ及び前記３個以上の複数の小粒金色体又は小粒銀色体は球状体に限定されることなく、球状体以外の任意の形状にすることが可能であり、然る時も、前記２個の小粒金色体９ａ，９ａ、又は、小粒銀色体１０ａ，１０ａと略同様の効果を得ることができる。
【００３５】
更に又、前記２個の金色体９ａ，９ａ、又は、２個の銀色体１０ａ，１０ａに代えて、図１１に示す如く、粉状体の粉状金色体１１、又は、粉状銀色体１２にすることも可能であり、然る時も、前記金色体９、又は、銀色体１０と略同様の効果が期待できる。
【００３６】
又、前記金色体９、又は、銀色体１０に代えて、図１２に示す如く、夫々所定の大きさに形成された板状金色体１３、又は、板状銀色体１４にすることも可能であり、或いは、図１３に示す如く、所定の大きさに形成されたシート状体のシート状金色体１５、又は、シート状銀色体１６にすることも可能であり、更に、図１４に示す如く、前記粘着シート６の所定範囲を塗布して成る塗膜状金色体１７、又は、塗膜状銀色体１８にすることも可能であり、然る時も、前記２個の小粒金色体９ａ，９ａ、又は、小粒銀色体１０ａ，１０ａと略同様の効果が期待できる。
【００３７】
次に、本発明の効果を測定するため、被験者に対して本発明の治療用品を施術した試験結果を示す。
【００３８】
試験は以下のように行った。
【００３９】
被験者：10名
試験物品：本発明の治療用品
（図８（ａ）に示す金色体：透明粘着シート６の粘着面６ａに小粒金色体９ａ，９ａを貼着したもの、図８（ｂ）示す銀色体：透明粘着シート６の粘着面６ａに小粒銀色体１０ａ，１０ａを貼着したもの）
貼付時間：２４時間
試験方法：被験者が痛みを訴える部位を通る経絡の上流側に金色体を貼付し、さらに痛みを訴える部位の経絡上に金色体を貼付し、さらに、銀色体を前記経絡の下流側に貼付した。なお、痛みを訴える部位が広い範囲にわたる場合は、当該部位を通る経絡全てに金色体、銀色体を貼付した。
【００４０】
検査項目：血液を採取しクレアチンフォソフォキナーゼ（以下、ＣＰＫと記載）濃度およびプロスタグランディン-E2（以下、ＰＧ−Ｅ２と記載）濃度を測定した。また、被験者に問診を実施し痛み度合いをＶＡＳ評価した。
【００４１】
試験結果は次のとおりであった。
【００４２】
【表１】
2005087496.tif 000003
血液中のＣＰＫ濃度。単位はIU/l。
【００４３】
試験前日は61±20(IU/l)だったのに対し貼付24時間後では53±18(IU/l)と、有意な減少がみられた。（P<0.05、paired t-test）
【００４４】
【表２】
2005087496.tif 000004
血液中のＰＧ−Ｅ２濃度。単位はpg/ml。
【００４５】
貼付直前は3.5±1.6(pg/ml)だったのに対し貼付30分後では2.9±1.4(pg/ml)と、有意な減少が見られた。（P<0.005、Paired  t-test）
【００４６】
【表３】
2005087496.tif 000005
ＶＡＳ評価。単位は点数。
【００４７】
貼付直前の評点は７±２だったのに対し貼付直後では４±１**、貼付24時間後では３±１***と貼付直前と比較して有意な減少がみられた。
(**；P<0.01、***；P<0.001、Wilcoxon順位和検定)
当該試験参加者10名中２名の被験者（ＢとＧ）が、膝の痛みが強く本発明治療用品の貼付直前のVAS評価では８〜９点であった。しかし、治療用品貼付直後に５〜６点に改善し、貼付24時間後にはさらに３点に改善効果が認められた。
【００４８】
また、被験者(ＥとＦ)２名も普段より肩凝りを訴え、特に数日前よりひどくなっていた。      貼付直前のVAS評価では２名とも６点であったものの、貼付直後に４〜５点に改善し、      更に貼付24時間後には２〜３点に改善された。
【００４９】
また、被験者(Ｉ)は、腰痛を訴えていた。貼付直前のVAS評価では８点であったが、処      置直後には４点に改善され「すごく楽になったような気がする」との報告もあった。更      に貼付24時間後には２点になり、かなりの効果が認められた。
【００５０】
上記試験結果からすると、被験者が特に痛みを訴える部位に本発明治療用品を貼付すると、貼付直後から全ての被験者にVAS評価の低下が認められた。また貼付24時間後には、VAS評価のさらなる低下が全ての被験者に認められた。
【００５１】
しかし、VAS評価では被験者の主観的要素が少なからず影響を及ぼすことは否めない。
【００５２】
そこで、筋肉の炎症の回復指標としてCPK濃度を、痛みの改善指標としてPG-E2濃度を測定した。
【００５３】
特にCPK濃度においては、被験者全員が試験前日の値と比較して低下しておりVAS評価との相関がみられた。PG-E2に関しても１名を除く９名が貼付直前の値と比較して低下した。
【００５４】
痛みが発生する原因の１つに、乳酸、ブラジキニンといった発痛物質の作用がある。筋肉を伸縮したり、動かしたりすると乳酸が発生する。通常、乳酸は血液によって運ばれ、体外に排出される。しかし、筋肉を使いすぎることで過剰な乳酸が産生されたり、コリなどにより筋肉が血管を押しつぶしてしまい血行不良が起こると、乳酸がその部位に溜まっていき痛みを発生させる。また、乳酸は患部に炎症も引き起こす作用がある。炎症が起こることでブラジキニンという発痛物質が産生され、同時に発痛物質の作用を強めるPG-E2も産生される。関節痛に関しても、関節軟骨が老化とともに減少していくことで関節に炎症を引き起こし、発痛物質、発痛促進物質(PG-E2等)が産生される。
【００５５】
CPKは筋収縮に必要不可欠なエネルギー源であるATP供給に関与している酵素であり、筋細胞の損傷等で逸脱してくる。このことから、本発明治療用品を貼付することで患部に正常な血流がもどり、コリ、虚血、炎症等が改善されたことでCPK濃度が低下し、発痛物質の産生が抑えられたためPG-E2濃度も低下したと推察される。
【００５６】
尚、本発明は、本発明の精神を逸脱しない限り種々の改変を為すことができ、そして、本発明が該改変されたものに及ぶことは当然である。
【図面の簡単な説明】
【００５７】
【図１】本発明の一実施の形態を示し、人体の肩近傍に治療用品を貼着した状態を示す概念図。
【図２】（ａ）図１の金色体が粘着シートに貼着され、該粘着シートが大判シートに貼着している状態を示す縦断面図。（ｂ）図１の銀色体が粘着シートに貼着され、該粘着シートが大判シートに貼着している状態を示す縦断面図。
【図３】図１の金色体が粘着シートに貼着され、複数の該粘着シートが大判シートに貼着されている状態を示す平面図。
【図４】図１の銀色体が粘着シートに貼着され、複数の該粘着シートが大判シートに貼着されている状態を示す平面図。
【図５】本発明の一実施の形態を示し、人体の腰近傍に治療用品を貼着した状態を示す概念図。
【図６】（ａ）本発明の一実施の形態を示し、人体の膝前部近傍に治療用品を貼着した状態を示す概念図。（ｂ）本発明の一実施の形態を示し、人体の膝後部近傍に治療用品を貼着した状態を示す概念図。
【図７】本発明の他の実施の形態を示し、人体の肩近傍に治療用品を貼着した状態を示す概念図。
【図８】（ａ）図７に示す金色体が粘着シートに貼着され、該粘着シートが大判シートに貼着している状態を示す縦断面図。（ｂ）図７に示す銀色体が粘着シートに貼着され、該粘着シートが大判シートに貼着している状態を示す縦断面図。
【図９】図７の２個の金色体が粘着シートに貼着され、複数の該粘着シートが大判シートに貼着されている状態を示す平面図。
【図１０】図７の２個の銀色体が粘着シートに貼着され、複数の該粘着シートが大判シートに貼着されている状態を示す平面図。
【図１１】（ａ）粉状体の金色体が粘着シートに貼着され、該粘着シートが大判シートに貼着している状態を示す縦断面図。（ｂ）粉状体の銀色体が粘着シートに貼着され、該粘着シートが大判シートに貼着している状態を示す縦断面図。
【図１２】（ａ）板状体の金色体が粘着シートに貼着され、該粘着シートが大判シートに貼着している状態を示す縦断面図。（ｂ）板状体の銀色体が粘着シートに貼着され、該粘着シートが大判シートに貼着している状態を示す縦断面図。
【図１３】（ａ）シート状体の金色体が粘着シートに貼着され、該粘着シートが大判シートに貼着している状態を示す縦断面図。（ｂ）シート状体の銀色体が粘着シートに貼着され、該粘着シートが大判シートに貼着している状態を示す縦断面図。
【図１４】（ａ）塗膜状の金色体が粘着シートに貼着され、該粘着シートが大判シートに貼着している状態を示す縦断面図。（ｂ）塗膜状の銀色体が粘着シートに貼着され、該粘着シートが大判シートに貼着している状態を示す縦断面図。
【符号の説明】
【００５８】
１，８      治療用品
２，９      金色体
３，１０    銀色体
４          人体
５          経絡
６          粘着シート
【図１】
2005087496.tif 000006
【図２】
2005087496.tif 000007
【図３】
2005087496.tif 000008
【図４】
2005087496.tif 000009
【図５】
2005087496.tif 000010
【図６】
2005087496.tif 000011
【図７】
2005087496.tif 000012
【図８】
2005087496.tif 000013
【図９】
2005087496.tif 000014
【図１０】
2005087496.tif 000015
【図１１】
2005087496.tif 000016
【図１２】
2005087496.tif 000017
【図１３】
2005087496.tif 000018
【図１４】
2005087496.tif 000019